(57)【要約】【課題】  カラープリンタを較正する方法を提供する。【解決手段】  非ブラック原色値の第１、第２、及び第３の部分を求め、原色値を指標として使用する第１の一次元ルックアップ・テーブル及び第１の部分を用いて第１の寄与を求め、原色値を指標として使用する第２の一次元ルックアップ・テーブル及び第２の部分を用いて第２の寄与を求め、原色値を指標として使用する第３の一次元ルックアップ・テーブル及び第３の部分を用いて第３の寄与を求め、第１、第２、及び第３の寄与を加算するステップを含む、非ブラック原色値を調整する方法。【選択図】      図２
2006094492.tif 000002
【特許請求の範囲】
【請求項１】
非ブラック原色値を調整する方法であって、
グレイ色に寄与する前記非ブラック原色値のグレイ成分を求め、
二次色に寄与する前記非ブラック原色値の二次色成分を求め、
前記グレイ色又は前記二次色に寄与しない前記非ブラック原色値の主成分を求め、
前記原色値を指標として使用するグレイバランス関連の一次元原色ルックアップ・テーブル及び前記グレイ成分を用いて、グレイバランスの寄与を求め、
前記原色値を指標として使用する二次色関連の一次元原色ルックアップ・テーブル及び前記二次色成分を用いて、二次色の寄与を求め、
前記原色値を指標として使用する主成分関連の一次元原色ルックアップ・テーブル及び前記主成分を用いて原色の寄与を求め、
前記グレイの寄与、前記二次色の寄与、及び前記原色の寄与を加算する、
ステップを含むことを特徴とする方法。
【請求項２】
グレイの寄与を求めるステップが、
前記非ブラック原色値を指標として用いてグレイをバランスさせるために、グレイバランス関連の一次元原色ＴＲＣからグレイバランス関連の原色ＴＲＣ値を取得し、
前記グレイバランス関連の原色ＴＲＣ値に、前記グレイ成分の前記原色値に対する比を乗ずる、
ステップを含むことを特徴とする請求項１に記載の方法。
【請求項３】
グレイの寄与を求めるステップが、
前記非ブラック原色値を指標として用いてグレイをバランスするために、正規化されたグレイバランス関連の一次元原色ＴＲＣから、正規化されたグレイバランス関連の原色ＴＲＣ値を取得し、
前記正規化されたグレイバランス関連の原色ＴＲＣに、前記グレイ成分を乗ずる、
ステップを含むことを特徴とする請求項１に記載の方法。
【請求項４】
二次色の寄与成分を求めるステップが、
前記非ブラック原色値を指標として用いて、二次色関連の一次元原色ＴＲＣから二次色関連の原色ＴＲＣ値を取得し、
前記二次色関連の原色ＴＲＣ値に、前記二次色成分の前記原色値に対する比を乗ずる、
ステップを含むことを特徴とする請求項１に記載の方法。
【請求項５】
二次色の寄与成分を求めるステップが、
前記非ブラック原色値を指標として用いて、正規化された二次色関連の一次元原色ＴＲＣから、正規化された二次色関連の原色ＴＲＣ値を取得し、
前記正規化された二次色関連の原色ＴＲＣに、前記二次色成分を乗ずる、
ステップを含むことを特徴とする請求項１に記載の方法。
【請求項６】
原色の寄与を求めるステップが、
前記非ブラック原色値を指標として用いて、主成分関連の一次元原色ＴＲＣから主成分関連の原色ＴＲＣ値を取得し、
前記主成分関連の原色ＴＲＣ値に、前記主成分の前記原色値に対する比を乗ずる、
ステップを含むことを特徴とする請求項１に記載の方法。
【請求項７】
原色の寄与を求めるステップが、
前記非ブラック原色値を指標として用いて、正規化された主成分関連の一次元原色ＴＲＣから正規化された主成分関連の原色ＴＲＣ値を取得し、
前記正規化された主成分関連の原色ＴＲＣに、前記主成分を乗ずる、
ステップを含むことを特徴とする請求項１に記載の方法。
【発明の詳細な説明】
【技術分野】
【０００１】
本主題の開示は、一般に、カラー印刷に向けられる。
【背景技術】
【０００２】
カラープリンタは、典型的に、色のスペクトルを発生させるように複数の異なる原色のインクを用いる。例えば、多くのカラープリンタは、シアン（Ｃ）、マゼンタ（Ｍ）、イエロー（Ｙ）、及びブラック（Ｋ）という４つのインクの色を用いる。ゼロ又はそれ以上のＣ、Ｍ、Ｙ、又はＫのインクドットの組み合わせを各々のピクセル位置に置くことにより、カラー画像が受け基板又は媒体上に形成される。シアン、マゼンタ及びイエローのインクの異なる組み合わせにより、幅広い範囲の色を生成することができるため、これらのインクが典型的に用いられている。
【発明の開示】
【発明が解決しようとする課題】
【０００３】
カラープリンタを較正するのは困難である。
【課題を解決するための手段】
【０００４】
本発明は、非ブラック原色値を調整する方法であって、グレイ色に寄与する前記非ブラック原色値のグレイ成分を求め、二次色に寄与する前記非ブラック原色値の二次色成分を求め、前記グレイ色又は前記二次色に寄与しない前記非ブラック原色値の主成分を求め、前記原色値を指標として使用するグレイバランス関連の一次元原色ルックアップ・テーブル及び前記グレイ成分を用いて、グレイバランスの寄与を求め、前記原色値を指標として使用する二次色関連の一次元原色ルックアップ・テーブル及び前記二次色成分を用いて、二次色の寄与を求め、前記原色値を指標として使用する主成分関連の一次元原色ルックアップ・テーブル及び前記主成分を用いて原色の寄与を求め、前記グレイの寄与、前記二次色の寄与、及び前記原色の寄与を加算する、ステップを含むことを特徴としている。
【０００５】
上記方法において、グレイの寄与を求めるステップが、前記非ブラック原色値を指標として用いてグレイをバランスさせるために、グレイバランス関連の一次元原色ＴＲＣからグレイバランス関連の原色ＴＲＣ値を取得し、前記グレイバランス関連の原色ＴＲＣ値に、前記グレイ成分の前記原色値に対する比を乗ずる、ステップを含んでいてもよい。
【０００６】
上記方法において、グレイの寄与を求めるステップが、前記非ブラック原色値を指標として用いてグレイをバランスするために、正規化されたグレイバランス関連の一次元原色ＴＲＣから、正規化されたグレイバランス関連の原色ＴＲＣ値を取得し、前記正規化されたグレイバランス関連の原色ＴＲＣに、前記グレイ成分を乗ずる、ステップを含んでいてもよい。
【０００７】
上記方法において、二次色の寄与成分を求めるステップが、前記非ブラック原色値を指標として用いて、二次色関連の一次元原色ＴＲＣから二次色関連の原色ＴＲＣ値を取得し、前記二次色関連の原色ＴＲＣ値に、前記二次色成分の前記原色値に対する比を乗ずる、ステップを含んでいてもよい。
【０００８】
上記方法において、二次色の寄与成分を求めるステップが、前記非ブラック原色値を指標として用いて、正規化された二次色関連の一次元原色ＴＲＣから、正規化された二次色関連の原色ＴＲＣ値を取得し、前記正規化された二次色関連の原色ＴＲＣに、前記二次色成分を乗ずる、ステップを含んでいてもよい。
【０００９】
上記方法において、原色の寄与を求めるステップが、前記非ブラック原色値を指標として用いて、主成分関連の一次元原色ＴＲＣから主成分関連の原色ＴＲＣ値を取得し、前記主成分関連の原色ＴＲＣ値に、前記主成分の前記原色値に対する比を乗ずる、ステップを含んでいてもよい。
【００１０】
上記方法において、原色の寄与を求めるステップが、前記非ブラック原色値を指標として用いて、正規化された主成分関連の一次元原色ＴＲＣから正規化された主成分関連の原色ＴＲＣ値を取得し、前記正規化された主成分関連の原色ＴＲＣに、前記主成分を乗ずる、ステップを含んでいてもよい。
【発明を実施するための最良の形態】
【００１１】
図１は、例えばホストコンピュータから印刷データを受信し、該印刷データをバッファメモリ３３に保存するインターフェース３１を含む印刷装置の実施形態の概略的なブロック図である。プロセッサ３５は、印刷データを処理してビットマップされたラスタデータを生成するように構成され、該データはメモリ３７に保存される。印刷エンジン３９は、プロセッサ３５によって生成されるビットマップラスタデータに従ってイメージを印刷する。印刷エンジン３９は、例えば、電子写真印刷エンジンか、又はインクジェット印刷エンジンとすることができる。
【００１２】
図２は、カラープリンタのための画像処理パイプラインの一部の実施形態のブロック図である。１１１において、入力された色データは、例えばカラー・テーブルを用いて、シアン、マゼンタ、イエロー、及びブラックの原色を用いるＣＭＹＫのようなプリンタの色空間に変換される。１１３において、プリンタの原色データ上で、グレイ成分の置き換えが実行され、幾らかの量の非ブラック原色がブラックで置き換えられる。１１５において、本明細書により特定的に開示されるように、複数の一次元階調再現曲線（ＴＲＣ）を用いて、非ブラック原色の各々が調整される。１１７において、一次元ＴＲＣを用いて、ブラックが調整（例えば、線形化）される。１１９においてハーフトーン化が実行され、１２１において印刷が行われる。実際には、グレイ成分の置き換えを、色データ変換に用いられるカラー・テーブル内の各入力に適用することにより、グレイ成分の置き換えのステップ１１３を、色データ変換のステップ１１１に併合することができる。さらに、カラー・テーブルにおけるグレイ成分の置き換えの調整された入力の各々をさらに調整することによって、複数の一次元ＴＲＣを用いて非ブラック原色値の各々を調整するステップ１１５及び一次元ＴＲＣを用いてブラックを調整するステップ１１７を、色データ変換のステップ１１１に併合することができる。開示された実施形態に用いられる一次元ＴＲＣは、例えば、一次元ルックアップ・テーブルとして実施することができる。
例えば、１１５及び１１７における調整を用いて、印刷装置を較正することができる。参照を簡単にするために、ここに開示される実施形態は、Ｃ、Ｍ、Ｙ、及びＫの原色を用いる。
【００１３】
図３は、非ブラック原色の各々について、複数の一次元ＴＲＣを用いて、ＣＭＹのような非ブラック原色値を調整するために、１１５（図２）において用いることができる手順の実施形態の概略的なフロー図である。
３１１において、ＧＲＡＹ成分が、オリジナルの又は入力された非ブラック原色Ｃ、Ｍ、Ｙ値の最小値に設定される。こうしたＣ、Ｍ、Ｙ値の各々について、ＧＲＡＹは、特定のＣ、Ｍ、Ｙデータのグレイに寄与し、非ブラック原色のグレイ成分と呼ぶことができる非ブラック原色の量を含む。
３１３において、ＧＲＡＹ成分が、非ブラック原色の入力Ｃ、Ｍ、Ｙの各々から引かれて、ＧＲＡＹ成分が除去された非ブラック原色のバージョンＣ１、Ｍ１、Ｙ１になる。
【００１４】
３１５において、二次色のレッド、グリーン、及びブルーが、ＧＲＡＹ成分が除去された非ブラック原色値の適切な組み合わせ（Ｍ１、Ｙ１）、（Ｃ１、Ｙ１）、（Ｃ１、Ｍ１）の最小値に設定される。Ｃ、Ｍ、Ｙ値の各々について、グリーンは、特定のＣ、Ｍ、Ｙデータのグリーン二次色に寄与するシアン及びイエローの量を含み、ブルーは、特定のＣ、Ｍ、Ｙデータのブルー二次色に寄与するシアン及びマゼンタの量を含み、レッドは、特定のＣ、Ｍ、Ｙデータのレッド二次色に寄与するマゼンタ及びイエローの量を含む。この例においては、３１３で計算されたように、Ｃ１、Ｍ１、Ｙ１の少なくとも１つがゼロであるので、Ｃ、Ｍ、Ｙ値のいずれかの組について多くても１つの非ゼロ二次色があることを理解すべきである。二次色に寄与する非ブラック原色値の部分を、便利に、非ブラック原色値の二次色成分（例えば、シアン色値のグリーン成分、シアン色値のブルー成分など）と呼ぶことができる。参照を簡単にするために、原色値の二次色成分を、原色の二次成分（例えば、マゼンタのブルー成分、マゼンタのレッド成分など）とも呼ぶこともできる。
【００１５】
３１７において、ＧＲＡＹ成分が除去された非ブラック原色値から適切な二次色成分を引くことによって、非ブラック原色値の各々の主成分が得られる。特に、グリーン及びブルーがＣ１から除去されてシアン色値Ｃの主成分Ｃ２を取得し、レッド及びブルーがＭ１から除去されてマゼンタ色値Ｍの主成分Ｍ２を取得し、レッド及びグリーンがＹ１から除去されてイエロー色値Ｙの主成分Ｙ２を取得する。この例において、Ｃ、Ｍ、Ｙ値は、多くても１つの二次色を形成するが、３１７の式は、３つの可能性がある二次色を含むように一般化される。
【００１６】
３１９又は３１９Ａ（図４）において、非ブラック原色の各々について、グレイをバランス（釣り合い、調和）させるためのグレイバランス関連の原色ＴＲＣのそれぞれの寄与（グレイバランスの寄与と呼ぶことができる）、二次色関連の原色ＴＲＣのそれぞれの寄与（二次色の寄与と呼ぶことができる）、及び主成分関連の原色ＴＲＣのそれぞれの寄与（主寄与と呼ぶことができる）を加算することによって、それぞれの調整された非ブラック原色値が取得され、ここで、ＴＲＣの各々に対する指標は、オリジナルの原色値を含む。
【００１７】
特にシアンについては、３１９において、調整されたシアン色値Ｃａｄｊを、
2006094492.tif 000003
によって得ることができる。
ここで、（Ｃ２／Ｃ）は、シアン色値Ｃの主成分を含むシアン色値Ｃの分数割合すなわち相対量を含み、ｃ＿ｔｂｌ［］は、シアンを調整（例えば、線形化）するための主成分関連の一次元シアンＴＲＣを含み、（ｇｒｅｅｎ／Ｃ）は、シアン色値Ｃのグリーン成分を含むシアン色値の分数割合すなわち相対量を含み、ｇｒｅｅｎ＿Ｃ［］は、グリーン関連の一次元シアンＴＲＣを含み、（ｂｌｕｅ／Ｃ）は、シアン色値Ｃのブルー成分を含むシアン色値Ｃの分数割合すなわち相対量を含み、ｂｌｕｅ＿Ｃ［］は、ブルー関連の一次元シアンＴＲＣを含み、（ＧＲＡＹ／Ｃ）は、シアン色値Ｃのグレイ成分を含むシアン色値Ｃの分数割合すなわち相対量を含み、ｇｒａｙｂａｌ＿Ｃ［］は、グレイをバランスさせるためのグレイバランス関連の一次元シアンＴＲＣを含む。
【００１８】
このように、（Ｃ２／Ｃ）＊ｃ＿ｔｂｌ［Ｃ］は、シアンを調整するための主成分関連のシアンＴＲＣの寄与を含み、ここで、シアン色値Ｃにより指標付けされるような主成分関連のシアンＴＲＣ値ｃ＿ｔｂｌ［Ｃ］は、シアン色値Ｃの主成分を含むシアン色値Ｃの相対量によって拡大縮小又は重み付けされる。（ｇｒｅｅｎ／Ｃ）＊ｇｒｅｅｎ＿Ｃ［Ｃ］は、グリーン関連のシアンＴＲＣの寄与を含み、ここで、シアン色値Ｃにより指標付けされるようなグリーン関連のシアンＴＲＣ値ｇｒｅｅｎ＿Ｃ［Ｃ］は、シアン色値Ｃのグリーン成分を含むシアン色値Ｃの相対量によって、拡大縮小又は重み付けされる。（ｂｌｕｅ／Ｃ）＊ｂｌｕｅ＿Ｃ［Ｃ］は、ブルー関連のシアンＴＲＣの寄与を含み、シアン色値Ｃにより指標付けされるようなブルー関連のシアンＴＲＣ値＿Ｃ［Ｃ］は、シアン色値Ｃのブルー成分を含むシアン色値Ｃの相対量によって、拡大縮小又は重み付けされる。（ＧＲＡＹ／Ｃ）＊ｇｒａｙｂａｌ＿Ｃ［Ｃ］は、グレイをバランスさせるためのグレイバランス関連のシアンＴＲＣの寄与を含み、グレイバランス関連のシアンＴＲＣ値ｇｒａｙｂａｌ＿Ｃ［Ｃ］は、シアン色値Ｃのグレイ成分を含むシアン色値Ｃの相対量によって、拡大縮小又は重み付けされる。
【００１９】
３１９における第１の式は、次の
2006094492.tif 000004
のように書き直すことができる。
このことは、調整されたシアン値を計算する際に、一次元ＴＲＣ値の各々について、Ｃによる除算を実行できることを示す。したがって、３１９Ａにおいて、正規化されたＴＲＣであるｃ’＿ｔｂｌ［］、ｇｒｅｅｎ’＿Ｃ［］、ｂｌｕｅ’＿Ｃ［］、及びｇｒａｙｂａｌ’＿Ｃ［］（ここで、ｃ’＿ｔｂｌ［Ｃ］＝ｃ＿ｔｂｌ［Ｃ］／Ｃ、ｇｒｅｅｎ’＿Ｃ［Ｃ］＝ｇｒｅｅｎ＿Ｃ［Ｃ］／Ｃ、ｂｌｕｅ’＿Ｃ［Ｃ］＝ｂｌｕｅ＿Ｃ［Ｃ］／Ｃ）を用いて、調整されたシアン色値Ｃａｄｊ：
2006094492.tif 000005
を得ることができる。
ここで、Ｃ２は、シアンの主成分を含むシアン色値Ｃの量すなわち割合を含み、ｃ’＿ｔｂｌ［］は、シアンを調整（例えば、線形化）するための正規化され主成分関連の一次元シアンＴＲＣを含み、グリーンは、シアン色値Ｃのグリーン成分を含み、ｇｒｅｅｎ’＿Ｃ［］は、正規化されたグリーン関連の一次元シアンＴＲＣを含み、ブルーは、シアン色値Ｃのブルー成分を含み、ｂｌｕｅ’＿Ｃ［］は、正規化されたブルー関連の一次元シアンＴＲＣを含み、ＧＲＡＹは、シアン色値Ｃのグレイ成分を含み、ｇｒａｙｂａｌ’＿Ｃ［］は、グレイをバランスさせるための正規化されたグレイバランス関連の一次元シアンＴＲＣを含む。
【００２０】
このように、Ｃ２＊ｃ’＿ｔｂｌ［Ｃ］は、シアンを調整（例えば、線形化）するための正規化された主成分関連のシアンＴＲＣの寄与を含み、そこで、シアン色値Ｃにより指標付けされるような正規化された主成分関連のシアンＴＲＣ値ｃ’＿ｔｂｌ［Ｃ］は、シアン色値Ｃの主成分を含むシアン色値Ｃの量によって拡大縮小又は重み付けされる。（ｇｒｅｅｎ）＊ｇｒｅｅｎ’＿Ｃ［Ｃ］は、正規化されたグリーン関連のシアンＴＲＣの寄与を含み、ここで、シアン色値Ｃにより指標付けされるような正規化されたグリーン関連のシアンＴＲＣ値ｇｒｅｅｎ’＿Ｃ［Ｃ］は、シアン色値Ｃのグリーン成分を含むシアン色値Ｃの量によって拡大縮小又は重み付けされる。（ｂｌｕｅ）＊ｂｌｕｅ’＿Ｃ［Ｃ］は、正規化されたブルー関連のシアンＴＲＣの寄与を含み、シアン色値Ｃにより指標付けされるような正規化されたブルー関連のシアンＴＲＣ値ｂｌｕｅ’＿Ｃ［Ｃ］は、シアン色値Ｃのブルー成分を含むシアン色値の量によって拡大縮小又は重み付けされる。（ＧＲＡＹ）＊ｇｒａｙｂａｌ’＿Ｃ［Ｃ］は、正規化されたグレイバランス関連のシアンＴＲＣの寄与を含み、正規化されたグレイバランス関連のシアンＴＲＣ値ｇｒａｙｂａｌ’＿Ｃ［Ｃ］は、シアン色値Ｃのグレイ成分を含むシアン色値の量によって拡大縮小又は重み付けされる。
【００２１】
特にマゼンタについては、３１９において、調整されたマゼンタ色値Ｍａｄｊを、
2006094492.tif 000006
によって得ることができる。
ここで、（Ｍ２／Ｍ）は、マゼンタ色値Ｍの主成分を含むマゼンタ色値Ｍの分数割合すなわち相対量を含み、ｍ＿ｔｂｌ［］は、マゼンタを調整（例えば、線形化）するための主成分関連の一次元マゼンタＴＲＣを含み、（ｒｅｄ／Ｍ）は、マゼンタ色値Ｍのレッド成分を含むマゼンタ色値Ｍの分数割合すなわち相対量を含み、ｒｅｄ＿Ｍ［］は、レッド関連の一次元マゼンタＴＲＣを含み、（ｂｌｕｅ／Ｍ）は、マゼンタ色値Ｍのブルー成分を含むマゼンタ色値Ｍの分数割合すなわち相対量を含み、ｂｌｕｅ＿Ｍ［］は、ブルー関連の一次元マゼンタＴＲＣを含み、（ＧＲＡＹ／Ｍ）は、マゼンタ色値Ｍのグレイ成分を含むマゼンタ色値Ｍの分数割合すなわち相対量を含み、ｇｒａｙｂａｌ＿Ｍ［］は、グレイをバランスさせるためのグレイバランス関連の一次元マゼンタＴＲＣである。
【００２２】
このように、（Ｍ２／Ｍ）＊ｍ＿ｔｂｌ［Ｍ］は、マゼンタを調整するための主成分関連のマゼンタＴＲＣの寄与を含み、マゼンタ色値Ｍにより指標付けされるような主成分関連のマゼンタＴＲＣ値ｍ＿ｔｂｌ［Ｍ］は、マゼンタ色値Ｍの主成分を含むマゼンタ色値Ｍの相対量によって拡大縮小又は重み付けされる。（ｒｅｄ／Ｍ）＊ｒｅｄ＿Ｍ［Ｍ］は、レッド関連のマゼンタＴＲＣの寄与を含み、ここで、マゼンタ色値Ｍにより指標付けされるようなレッド関連のマゼンタＴＲＣ値ｒｅｄ＿Ｍ［Ｍ］は、マゼンタ色値Ｍのレッド成分を含むマゼンタ色値Ｍの相対量によって拡大縮小又は重み付けされる。（ｂｌｕｅ／Ｍ）＊ｂｌｕｅ＿Ｍ［Ｍ］は、ブルー関連のマゼンタＴＲＣの寄与を含み、マゼンタ色値Ｍにより指標付けされるようなブルー関連のマゼンタＴＲＣ値ｂｌｕｅ＿Ｍ［Ｍ］は、マゼンタ色値Ｍのブルー成分を含むマゼンタ色値Ｍの相対量によって拡大縮小又は重み付けされる。（ＧＲＡＹ／Ｍ）＊ｇｒａｙｂａｌ＿Ｍ［Ｍ］は、グレイをバランスさせるためのグレイバランス関連のマゼンタＴＲＣの寄与を含み、グレイバランス関連のマゼンタＴＲＣ値ｇｒａｙｂａｌ＿Ｍ［Ｍ］は、マゼンタ色値Ｍのグレイ成分を含むマゼンタ色値Ｍの相対量によって拡大縮小又は重み付けされる。
【００２３】
３１９における第２の式は、次の
2006094492.tif 000007
のように書き直すことができる。
このことは、調整されたマゼンタ値を計算する際に、一次元ＴＲＣ値の各々について、Ｍによる除算を実行できることを示す。したがって、３１９Ａにおいて、正規化されたＴＲＣであるｍ’＿ｔｂｌ［］、ｒｅｄ’＿Ｍ［］、ｂｌｕｅ’＿Ｍ［］、及びｇｒａｙｂａｌ’＿Ｍ［］（ここで、ｍ’＿ｔｂｌ［Ｍ］＝ｍ＿ｔｂｌ［Ｍ］／Ｍ、ｒｅｄ’＿Ｍ［Ｍ］＝ｒｅｄ＿Ｍ［Ｍ］／Ｍ、ｂｌｕｅ’＿Ｍ［Ｍ］＝ｂｌｕｅ＿Ｍ［Ｍ］／Ｍ、及びｇｒａｙｂａｌ’＿Ｍ［Ｍ］＝ｇｒａｙｂａｌ＿Ｍ［Ｍ］／Ｍ）を用いて、調整されたマゼンタ色値Ｍａｄｊ：
2006094492.tif 000008
を得ることができる。
ここで、Ｍ２は、マゼンタの主成分を含むマゼンタ色値Ｍの量すなわち割合を含み、ｍ’＿ｔｂｌ［］は、マゼンタを調整（例えば、線形化）するための正規化された主成分関連の一次元マゼンタＴＲＣを含み、レッドは、マゼンタ色値Ｍのレッド成分を含み、ｒｅｄ’＿Ｍ［］は、正規化されたレッド関連の一次元マゼンタＴＲＣを含み、ブルーは、マゼンタ色値Ｃのブルー成分を含み、ｂｌｕｅ’＿Ｍ［］は、正規化されたブルー関連の一次元マゼンタＴＲＣを含み、ＧＲＡＹは、マゼンタ色値Ｍのグレイ成分を含み、ｇｒａｙｂａｌ’＿Ｍ［］は、グレイをバランスさせるための正規化されたグレイバランス関連の一次元マゼンタＴＲＣを含む。
【００２４】
このように、Ｍ２＊ｍ’＿ｔｂｌ［Ｍ］は、マゼンタを調整（例えば、線形化）するための正規化された主成分関連のマゼンタＴＲＣの寄与を含み、マゼンタ色値Ｍにより指標付けされるような正規化された主成分関連のマゼンタＴＲＣ値ｍ’＿ｔｂｌ［Ｍ］は、マゼンタ色値Ｍの主成分を含むマゼンタ色値Ｍの量によって拡大縮小又は重み付けされる。（ｒｅｄ）＊ｒｅｄ’＿Ｍ［Ｍ］は、正規化されたレッド関連のマゼンタＴＲＣの寄与を含み、ここで、マゼンタ色値Ｍにより指標付けされたような正規化されたレッド関連のマゼンタＴＲＣ値ｒｅｄ’＿Ｍ［Ｍ］は、マゼンタ色値Ｍのレッド成分を含むマゼンタ色値Ｍの量によって拡大縮小又は重み付けされる。（ｂｌｕｅ）＊ｂｌｕｅ’＿Ｍ［Ｍ］は、ブルー関連のマゼンタＴＲＣの寄与を含み、ここで、マゼンタ色値Ｍにより指標付けされるような正規化されたブルー関連のマゼンタＴＲＣ値ｂｌｕ’＿Ｍ［Ｍ］は、マゼンタ色値Ｍのブルー成分を含むマゼンタ色値Ｍの量によって拡大縮小又は重み付けされる。（ＧＲＡＹ）＊ｇｒａｙｂａｌ’＿Ｍ［Ｍ］は、正規化されたグレイバランス関連のマゼンタＴＲＣの寄与を含み、ここで、正規化されたグレイバランス関連のマゼンタＴＲＣ値ｇｒａｙｂａｌ’＿Ｍ［Ｍ］は、マゼンタ色値Ｍのグレイ成分を含むマゼンタ色値Ｍの量によって拡大縮小又は重み付けされる。
【００２５】
特にイエローについては、３１９において、調整されたイエロー色値Ｙａｄｊを、
2006094492.tif 000009
によって得ることができる。
ここで、（Ｙ２／Ｙ）は、イエロー色値Ｍの主成分を含むイエロー色値Ｍの分数割合すなわち相対量を含み、ｙ＿ｔｂｌ［］は、イエローを調整（例えば、線形化）するための主成分関連の一次元イエローＴＲＣを含み、（ｒｅｄ／Ｙ）は、イエロー色値Ｍのレッド成分を含むマゼンタ色値Ｍの分数割合すなわち相対量を含み、ｒｅｄ＿Ｙ［］は、イエロー関連の一次元イエローＴＲＣを含み、（ｇｒｅｅｎ／Ｙ）は、イエロー色値Ｍのグリーン成分を含むイエロー色値Ｍの分数割合すなわち相対量を含み、ｇｒｅｅｎ＿Ｙ［］は、グリーン関連の一次元イエローＴＲＣを含み、（ＧＲＡＹ／Ｙ）は、イエロー色値Ｍのグレイ成分を含むイエロー色値Ｍの分数割合すなわち相対量を含み、ｇｒａｙｂａｌ＿Ｙ［］は、グレイをバランスさせるためのグレイバランス関連の一次下イエローＴＲＣである。
【００２６】
このように、（Ｙ２／Ｙ）＊ｙ＿ｔｂｌ［Ｙ］は、イエローを調整するための主成分関連のイエローＴＲＣの寄与を含み、イエロー色値Ｍにより指標付けされるような主成分関連のイエローＴＲＣ値ｙ＿ｔｂｌ［Ｙ］は、イエロー色値Ｍの主成分を含むイエロー色値Ｙの相対量によって拡大縮小又は重み付けされる。（ｒｅｄ／Ｙ）＊ｒｅｄ＿Ｙ［Ｙ］は、レッド関連のイエローＴＲＣの寄与を含み、ここで、イエロー色値Ｙにより指標付けされるようなレッド関連のイエローＴＲＣ値ｒｅｄ＿Ｙ［Ｙ］は、イエロー色値Ｙのレッド成分を含むイエロー色値Ｙの相対量によって拡大縮小又は重み付けされる。（ｇｒｅｅｎ／Ｙ）＊ｇｒｅｅｎ＿Ｙ［Ｙ］は、グリーン関連のイエローＴＲＣの寄与を含み、イエロー色値Ｙにより指標付けされるようなグリーン関連のイエローＴＲＣ値ｇｒｅｅｎ＿Ｙ［Ｙ］は、イエロー色値Ｙのグリーン成分を含むイエロー色値Ｙの相対量によって拡大縮小又は重み付けされる。（ＧＲＡＹ／Ｙ）＊ｇｒａｙｂａｌ＿Ｙ［Ｙ］は、グレイをバランスさせるためのグレイバランス関連のイエローＴＲＣの寄与を含み、グレイバランス関連のイエローＴＲＣ値ｇｒａｙｂａｌ＿Ｙ［Ｙ］は、イエロー色値Ｙのグレイ成分を含むイエロー色値Ｙの相対量によって拡大縮小又は重み付けされる。
【００２７】
３１９における第３の式は、次の
2006094492.tif 000010
のように書き直すことができる。
このことは、調整されたイエロー値を計算する際に、一次元ＴＲＣ値の各々について、Ｙによる除算を実行できることを示す。したがって、３１９Ａにおいて、正規化されたＴＲＣであるｙ’＿ｔｂｌ［］、ｒｅｄ’＿Ｙ［］、ｇｒｅｅｎ’＿Ｙ［］、及びｇｒａｙｂａｌ’＿Ｙ［］（ここで、ｙ’＿ｔｂｌ［Ｙ］＝ｙ＿ｔｂｌ［Ｙ］／Ｙ、ｒｅｄ’＿Ｙ［Ｙ］＝ｒｅｄ＿Ｙ［Ｙ］／Ｙ、ｇｒｅｅｎ’＿Ｙ［Ｙ］＝ｇｒｅｅｎ＿Ｙ［Ｙ］／Ｙ、及びｇｒａｙｂａｌ’＿Ｙ［Ｙ］＝ｇｒａｙｂａｌ＿Ｙ［Ｙ］／Ｙ）を用いて、調整されたイエロー色値Ｙａｄｊ：
2006094492.tif 000011
を得ることができる。
ここで、Ｙ２は、イエローの主成分を含むイエロー色値Ｙの量すなわち割合を含み、ｙ’＿ｔｂｌ［］は、イエローを調整（例えば、線形化）するための正規化された主成分関連の一次元イエローＴＲＣを含み、レッドは、イエロー色値Ｙのレッド成分を含み、ｒｅｄ’＿Ｙ［］は、正規化されたレッド関連の一次元イエローＴＲＣを含み、グリーンは、イエロー色値Ｙのグリーン成分を含み、ｇｒｅｅｎ’＿Ｙ［］は、正規化されたグリーン関連の一次元イエローＴＲＣを含み、ＧＲＡＹは、イエロー色値Ｙのグレイ成分を含み、ｇｒａｙｂａｌ’＿Ｙ［］は、グレイをバランスさせるための正規化されたグレイバランス関連の一次元イエローＴＲＣを含む。
【００２８】
このように、Ｙ２＊ｙ’＿ｔｂｌ［Ｙ］は、イエローを調整（例えば、線形化）するための正規化された主成分関連のイエローＴＲＣの寄与を含み、ここで、イエロー色値Ｙにより指標付けされるような正規化された主成分関連のイエローＴＲＣ値ｙ’＿ｔｂｌ［Ｙ］は、イエロー色値Ｙの主成分を含むイエロー色値Ｙの量によって拡大縮小又は重み付けされる。（ｒｅｄ）＊ｒｅｄ’＿Ｙ［Ｙ］は、正規化されたレッド関連のイエローＴＲＣの寄与を含み、イエロー色値Ｙにより指標付けされるような正規化されたレッド関連のイエローＴＲＣ値ｒｅｄ’＿Ｙ［Ｙ］は、イエロー色値Ｙのレッド成分を含むイエロー色値Ｙの量によって拡大縮小又は重み付けされる。（ｇｒｅｅｎ）＊ｇｒｅｅｎ’＿Ｙ［Ｙ］は、グリーン関連のイエローＴＲＣの寄与を含み、イエロー色値Ｙにより指標付けされるような正規化されたグリーン関連のイエローＴＲＣ値ｇｒｅｅｎ’＿Ｙ［Ｙ］は、イエロー色値Ｙのグリーン成分を含むイエロー色値Ｙの量によって拡大縮小又は重み付けされる。（ＧＲＡＹ）＊ｇｒａｙｂａｌ’＿Ｙ［Ｙ］は、正規化されたグレイバランス関連のイエローＴＲＣの寄与を含み、ここで、正規化されたグレイバランス関連のイエローＴＲＣ値ｇｒａｙｂａｌ’＿Ｙ［Ｙ］は、イエロー色値Ｙのグレイ成分を含むイエロー色値Ｙの量によって拡大縮小又は重み付けされる。
【００２９】
一般的に、非ブラック原色の各々について、グレイ部分又は成分、二次色部分又は成分、及び主部分又は成分が、求められる。非ブラック原色は、１つ又はそれ以上のこうした成分を含むことができる。非ブラック原色の各々について、グレイバランス関連の原色ＴＲＣの寄与を求め、二次色関連の原色ＴＲＣを求め、主成分関連の原色ＴＲＣを求め、例えば、ＴＲＣに対する指標として原色値を用いて、ＴＲＣ値を、特定の成分を含む非ブラック原色の（例えば、ＴＲＣの値によって相対的又は絶対的な）量で拡大縮小する。主成分関連の原色ＴＲＣの寄与、二次色関連の原色ＴＲＣの寄与、及びグレイバランス関連の原色ＴＲＣの寄与を組み合わせることによって、調整された非ブラック原色値が得られる。
【００３０】
種々の範囲にシアン・パッチ、マゼンタ・パッチ、及びイエロー・パッチを印刷し、Ｌ＊、ΔΕなどに基づいてこれらを線形化することによって、拡大縮小されて主成分関連の原色ＴＲＣを寄与する主成分関連の一次元原色ＴＲＣを得ることができる。
種々の範囲にグリーン・パッチを印刷し、Ｌ＊、ΔΕなどに基づいてこれらを線形化することによって、拡大縮小されてグリーン関連のシアン及びイエローＴＲＣを寄与するグリーン関連の一次元シアン及びイエローＴＲＣを得ることができる。このことは、主成分関連の一次元ＴＲＣをシアン及びイエロー成分に適用することなく行うことができる。例えば、所望の較正によって、色調整をグリーン関連のシアン及び／又はイエローＴＲＣに組み込み、グリーンをよりシアンに、或いはよりイエローにすることができる。グリーンへの色調整がなされない場合には、ｇｒｅｅｎ＿Ｃ［］及びｇｒｅｅｎ＿Ｙ［］を等しいものとし、ｇｒｅｅｎ’＿Ｃ［］及びｇｒｅｅｎ’＿Ｙ［］を等しいものとすることができる。
例えば、主成分関連の一次元原色ＴＲＣを適用することなく、ブルー関連の一次元シアン及びマゼンタＴＲＣ及びレッド関連の一次元マゼンタ及びイエローＴＲＣを同様に得ることができる。
【００３１】
当初提示された、或いは補正されることもある特許請求の範囲の記載は、現時点で予想されない又は認識されていないもの、及び、例えば、出願人／特許権者その他の者から生み出されることがあるものを含め、ここに開示された実施形態及び示唆による変形、代替、修正、改良、均等物及び実質的均等物までも包含する。
【図面の簡単な説明】
【００３２】
【図１】印刷システムの実施形態の概略的なブロック図である。
【図２】画像処理パイプラインの実施形態の概略図である。
【図３】非ブラック原色の各々について、複数の一次元ルックアップ・テーブルを用いて非ブラック原色を調整する手順の実施形態の概略的なフロー図である。
【図４】図３の手順に用いることができる代替的な計算の実施形態である。
【符号の説明】
【００３３】
３１：インターフェース
３３：バッファメモリ
３５：プロセッサ
３７：メモリ
３９：印刷エンジン
【図１】
2006094492.tif 000012
【図２】
2006094492.tif 000013
【図３】
2006094492.tif 000014
【図４】
2006094492.tif 000015